(57)【要約】  本発明は、外面に対して防水状態を提供するドア装置（１）であって、主支持面（２）と、主スパー（１０）と、第１主閉鎖要素（３）と、第２主閉鎖要素（４）と、第１連結要素（５）と、第２連結要素（６）と、第３連結要素（７）と、第４連結要素（８）と、一次案内要素（９１、９２）と、補助閉鎖くさび（１１１）を含む横断要素（１１）と、二次案内要素（９３、９４）と、を備えている。第１の休止位置と第２の防水位置との間の主スパー（１０）の移動に沿って、各第２連結要素（６）の移動が対応する一次案内要素（９１、９２）によって、当該一次案内要素（９１、９２）の方向に制限され、第１主閉鎖要素（３）および第２主閉鎖要素（４）が主領域（２ａ）から退出する。主スパー（１０）が防水位置にあるとき、閉鎖間隙は補助閉鎖くさび（１１１）の接地する側部の長さに等しい。本発明はまた、防水システムおよび方法を提供する。
2019508613.tif 000002
【特許請求の範囲】
【請求項１】
外面に対して防水状態を提供するドア装置（１）であって、
主領域（２ａ）を画定する主支持面（２）と、
休止位置と防水位置との間で動作方向（Ｄ）に移動する主スパー（１０）と、
くさび形の端部（３１）を含み、前記くさび形の端部（３１）が当該くさび形の端部（３１）の尖った頂点に位置付けられた第１閉鎖点（３２）を含む、第１主閉鎖要素（３）と、
くさび形の端部（４１）を含み、前記くさび形の端部（４１）が当該くさび形の端部（４１）の尖った頂点に位置付けられた第２閉鎖点（４２）を含む、第２主閉鎖要素（４）であって、当該第１閉鎖点（３２）および当該第２閉鎖点（４２）が、当該第１閉鎖点（３２）と当該第２閉鎖点（４２）との間の距離である閉鎖間隙を画定する、第２主閉鎖要素（４）と、
各々が第１端部（５１）および第２端部（５２）を有する第１連結要素（５）であって、各第１連結要素（５）が、前記第１端部（５１）において、前記主スパー（１０）に枢動可能に取り付けられている、第１連結要素（５）と、
各々が第１端部（６１）および第２端部（６２）を有する第２連結要素（６）であって、各第２連結要素（６）が、前記第１端部（６１）において、１つの第１連結要素（５）の前記第２端部（５２）に枢動可能に取り付けられるとともに、前記第２端部（６２）において、前記第１主閉鎖要素（３）に枢動可能に取り付けられている、第２連結要素（６）と、
各々が第１端部（７１）および第２端部（７２）を有する第３連結要素（７）であって、各第３連結要素（７）が、前記第１端部（７１）において、前記主スパー（１０）に枢動可能に取り付けられている、第３連結要素（７）と、
各々が第１端部（８１）および第２端部（８２）を有する第４連結要素（８）であって、各第４連結要素（８）が、前記第１端部（８１）において、１つの第３連結要素（７）の前記第２端部（７２）に枢動可能に取り付けられるとともに、前記第２端部（８２）において、前記第２主閉鎖要素（４）に枢動可能に取り付けられている、第４連結要素（８）と、
複数の一次案内要素（９１、９２）であって、前記第２連結要素（６）の各々が、時計回り方向において前記動作方向（Ｄ）に対する第１の一次案内角度（δ１）を形成するように方向付けられた第１群の一次案内要素（９１）の１つに接触し、前記第４連結要素（８）の各々が、反時計回り方向において前記動作方向（Ｄ）に対する第２の一次案内角度（δ２）を形成するように方向付けられた第２群の一次案内要素（９２）の１つに接触するように、各々が主支持面（２）に取り付けられた複数の一次案内要素（９１、９２）と、
補助閉鎖くさび（１１１）を含む横断要素（１１）であって、補助閉鎖くさび（１１１）が側部を含み、２つの前記側部が前記動作方向（Ｄ）に対する第１くさび角度（β１）および第２くさび角度（β２）をそれぞれ形成し、他の側部が接地する側部である、横断要素（１１）と、
第１の二次案内要素（９３）および第２の二次案内要素（９４）であって、前記二次案内要素（９３、９４）が、前記横断要素（１１）を案内し、前記第１の二次案内要素（９３）の各点における接線が、反時計回り方向において前記動作方向（Ｄ）に対する第１の二次案内角度（α１）を形成し、前記第２の二次案内要素（９４）の各点における接線が、時計回り方向において前記動作方向（Ｄ）に対する第２の二次案内角度（α２）を形成する、第１の二次案内要素（９３）および第２の二次案内要素（９４）と、を備え、
前記主スパー（１０）の前記休止位置では、前記第１主閉鎖要素（３）および前記第２主閉鎖要素（４）が前記主領域（２ａ）内に配置され、
前記休止位置と前記防水位置との間の主スパー（１０）の移動に沿って、各第２連結要素（６）の移動が第１群の一次案内要素（９１）の１つによって、当該一次案内要素（９１）の方向に制限され、各第４連結要素（８）の移動が第２群の一次案内要素（９２）の１つによって、当該一次案内要素（９２）の方向に制限され、前記第１主閉鎖要素（３）および前記第２主閉鎖要素（４）が前記主領域（２ａ）から退出し、
前記主スパー（１０）が前記防水位置にあるとき、前記閉鎖間隙は前記補助閉鎖くさび（１１１）の前記接地する側部の長さに等しく、
前記二次案内要素（９３、９４）が前記横断要素（１１）を案内し、前記補助閉鎖くさび（１１１）が、前記主領域から退出し、前記第１主閉鎖要素（３）の前記くさび形の端部（３１）と、前記第２主閉鎖要素（４）の前記くさび形の端部（４１）との両方に当接し、前記第１主閉鎖要素（３）の前記くさび形の端部（３１）は、前記第１くさび角度（β１）に等しい前記動作方向（Ｄ）に対する第１閉鎖角度を形成し、前記第２主閉鎖要素（４）の前記くさび形の端部（４１）は、前記第２くさび角度（β２）に等しい前記動作方向（Ｄ）に対する第２閉鎖角度を形成し、
前記第１の二次案内角度（α１）が前記第１くさび角度（β１）以下であり、前記第２の二次案内角度（α２）が前記第２くさび角度（β２）以下である、ドア装置（１）。
【請求項２】
前記第１の一次案内角度（δ１）が前記第２の一次案内角度（δ２）に等しく、前記第１くさび角度（β１）が前記第２くさび角度（β２）に等しく、前記第１の二次案内角度（α１）が前記第２の二次案内角度（α２）に等しい、請求項１に記載のドア装置（１）。
【請求項３】
前記第１の二次案内要素（９３）が前記第１主閉鎖要素（３）に取り付けられ、前記第２の二次案内要素（９４）が前記第２主閉鎖要素（４）に取り付けられ、前記主スパー（１０）が前記休止位置と前記防水位置との間を移動するときに、前記二次案内要素（９３、９４）が前記横断要素（１１）を案内する、請求項１または２に記載のドア装置（１）。
【請求項４】
前記二次案内要素（９３、９４）が前記主支持面（２）に取り付けられ、前記第１の二次案内角度（α１）および前記第２の二次案内角度（α２）が０に等しく、
前記ドア装置（１）は、前記補助閉鎖くさび（１１１）が前記第１主閉鎖要素（３）の前記くさび形の端部および前記第２主閉鎖要素（４）の前記くさび形の端部の両方に当接する位置に前記横断要素（１１）を移動させる第１操作要素を更に備える、請求項１または２に記載のドア装置（１）。
【請求項５】
前記主スパー（１０）を前記休止位置と前記防水位置との間で移動させる第２操作要素を更に備える、請求項１乃至４のいずれか一項に記載のドア装置（１）。
【請求項６】
前記第１主閉鎖要素（３）および前記第２主閉鎖要素（４）並びに前記補助閉鎖くさび（１１１）の少なくとも一部が、耐水材料で作られている、請求項１乃至５のいずれか一項に記載のドア装置（１）。
【請求項７】
前記第１主閉鎖要素（３）および前記第２主閉鎖要素（４）は、各々が長尺アーム（３３、４３）および短尺アーム（３４、４４）を含む実質的にＬ字形であり、前記長尺アーム（３３、４３）は互いに実質的に平行に配置され、前記短尺アーム（３４、４４）は互いに向き合って方向付けられている、請求項１乃至６のいずれか一項に記載のドア装置（１）。
【請求項８】
前記主閉鎖要素（３、４）は、前記主スパー（１０）が前記休止位置にあるとき、前記長尺アーム（３３、４３）および前記短尺アーム（３４、４４）が、矩形である前記主領域（２ａ）の縁部に位置付けられるように、配置されている、請求項７に記載のドア装置（１）。
【請求項９】
前記主閉鎖要素（３、４）および前記補助閉鎖くさび（１１１）は、シール要素（１０１、１０４）を含む、請求項１乃至８のいずれか一項に記載のドア装置（１）。
【請求項１０】
前記主支持面（２）に実質的に平行な副支持面（２１）を更に備え、
前記主スパー（１０）、前記第１連結要素（５）、前記第２連結要素（６）、前記第３連結要素（７）、前記第４連結要素（８）、前記一次案内要素（９１、９２）、前記第１の二次案内要素（９３）および前記第２の二次案内要素（９４）は、前記主支持面（２）と前記副支持面（２１）との間に配置されている、請求項１乃至９のいずれか一項に記載のドア装置（１）。
【請求項１１】
請求項１乃至１０のいずれか一項に記載のドア装置（１）を備えるドア。
【請求項１２】
請求項１乃至１０のいずれか一項に記載のドア装置（１）または請求項１１に記載のドアを備える防水システムであって、
防水性を提供するためのスロット組立体を更に備え、
前記スロット組立体は、前記ドア装置（１）の前記第１主閉鎖要素（３）および第２主閉鎖要素（４）並びに補助閉鎖くさび（１１１）を少なくとも部分的に収容する、防水システム。
【請求項１３】
前記ドア装置は、請求項７または８に記載のドア装置であり、
前記スロット組立体は、３つのスロット（１２１、１２２、１２３）を含み、
前記第１スロット（１２１）は、一方の前記主閉鎖要素（３）の前記長尺アーム（３３）の少なくとも一部を収容し、
前記第２スロット（１２２）は、他方の前記主閉鎖要素（４）の前記長尺アーム（４３）の少なくとも一部を収容し、
前記第３スロット（１２３）は、一方の前記主閉鎖要素（３）の前記短尺アーム（３４）の少なくとも一部、他方の前記主閉鎖要素（４）の前記短尺アーム（４４）の少なくとも一部および前記補助閉鎖くさび（１１１）の少なくとも一部を収容する、請求項１２に記載の防水システム。
【請求項１４】
前記スロット組立体は、請求項１乃至９のいずれか一項に記載のドア装置（１）の前記第１主閉鎖要素（３）および前記第２主閉鎖要素（４）並びに前記補助閉鎖くさび（１１１）を収容し、
前記スロット組立体は、前記主スパー（１０）が前記防水位置にあるとき、前記ドア装置（１）の前記主閉鎖要素（３、４）および前記閉鎖くさび（１１１）に接触するように配置された第３シール要素（１０２）を含む、請求項１２または１３に記載の防水システム。
【請求項１５】
防水ドアを提供する方法であって、
請求項１乃至１０のいずれか一項に記載のドア装置（１）を提供する工程と、
前記ドア装置（１）をドアに取り付ける工程と、を備える、方法。
【発明の詳細な説明】
【技術分野】
【０００１】
本発明は、ドアの分野、特に防水ドアの分野に関する。
【背景技術】
【０００２】
頻繁に発生する洪水は、建物やその他の施設に大きな損傷を与える可能性がある。防水ドアは、潜水艦や他の海軍の船舶で知られている。これらの防水ドアは、防水閉鎖を達成し、フレームに対するドアの閉鎖動作の利点を得るために、床から突出したフレームに対してドアに圧力を加えることによって機能する。
【０００３】
しかしながら、突出するフレームを含むこれらのドアは、アクセス可能性が長所である建物または家屋で使用するためには適していない。
【発明の概要】
【発明が解決しようとする課題】
【０００４】
本発明は、請求項１に記載のドア装置、請求項１１に記載のドア、請求項１２に記載の防水システム、および請求項１５に記載の方法によって、上述の問題の解決策を提供する。従属請求項は、本発明の好ましい実施の形態を規定する。
【課題を解決するための手段】
【０００５】
第１の態様によれば、本発明は、外面に対して防水状態を提供するドア装置であって、主領域を画定する主支持面と、休止位置と防水位置との間で動作方向に移動する主スパーと、くさび形の端部を含み、くさび形の端部が当該くさび形の端部の尖った頂点に位置付けられた第１閉鎖点を含む、第１主閉鎖要素と、くさび形の端部を含み、くさび形の端部が当該くさび形の端部の尖った頂点に位置付けられた第２閉鎖点を含む、第２主閉鎖要素であって、当該第１閉鎖点および当該第２閉鎖点が、当該第１閉鎖点と当該第２閉鎖点との間の距離である閉鎖間隙を画定する、第２主閉鎖要素と、各々が第１端部および第２端部を有する第１連結要素であって、各第１連結要素が、第１端部において、主スパーに枢動可能に取り付けられている、第１連結要素と、各々が第１端部および第２端部を有する第２連結要素であって、各第２連結要素が、第１端部において、１つの第１連結要素の第２端部に枢動可能に取り付けられるとともに、第２端部において、第１主閉鎖要素に枢動可能に取り付けられている、第２連結要素と、各々が第１端部および第２端部を有する第３連結要素であって、各第３連結要素が、第１端部において、主スパーに枢動可能に取り付けられている、第３連結要素と、各々が第１端部および第２端部を有する第４連結要素であって、各第４連結要素が、第１端部において、１つの第３連結要素の第２端部に枢動可能に取り付けられるとともに、第２端部において、第２主閉鎖要素に枢動可能に取り付けられている、第４連結要素と、複数の一次案内要素であって、第２連結要素の各々が、時計回り方向において動作方向に対する第１の一次案内角度を形成するように方向付けられた第１群の一次案内要素の１つに接触し、第４連結要素の各々が、反時計回り方向において動作方向に対する第２の一次案内角度を形成するように方向付けられた第２群の一次案内要素の１つに接触するように、各々が主支持面に取り付けられた複数の一次案内要素と、補助閉鎖くさびを含む横断要素であって、補助閉鎖くさびが側部を含み、２つの側部が動作方向に対する第１くさび角度および第２くさび角度をそれぞれ形成し、他の側部が接地する側部である、横断要素と、第１の二次案内要素および第２の二次案内要素であって、二次案内要素が、横断要素を案内し、第１の二次案内要素の各点における接線が、反時計回り方向において動作方向に対する第１の二次案内角度を形成し、第２の二次案内要素の各点における接線が、時計回り方向において動作方向に対する第２の二次案内角度を形成する、第１の二次案内要素および第２の二次案内要素と、を備え、主スパーの休止位置では、第１主閉鎖要素および第２主閉鎖要素が主領域内に配置され、休止位置と防水位置との間の主スパーの移動に沿って、各第２連結要素の移動が第１群の一次案内要素の１つによって、当該一次案内要素の方向に制限され、各第４連結要素の移動が第２群の一次案内要素の１つによって、当該一次案内要素の方向に制限され、第１主閉鎖要素および第２主閉鎖要素が主領域から退出し、主スパーが防水位置にあるとき、閉鎖間隙は補助閉鎖くさびの接地する側部の長さに等しく、二次案内要素が横断要素を案内し、補助閉鎖くさびが、主領域から退出し、第１主閉鎖要素のくさび形の端部と、第２主閉鎖要素のくさび形の端部との両方に当接し、第１主閉鎖要素のくさび形の端部は、第１くさび角度に等しい動作方向に対する第１閉鎖角度を形成し、第２主閉鎖要素のくさび形の端部は、第２くさび角度に等しい動作方向に対する第２閉鎖角度を形成し、第１の二次案内角度が第１くさび角度以下であり、第２の二次案内角度が第２くさび角度以下である、ドア装置を提供する。
【０００６】
本発明によれば、防水状態は、第１主閉鎖要素および第２主閉鎖要素並びに補助閉鎖くさびの主領域からの移動によって提供され、したがって、これらの要素が外面に対して当接することが可能となる。有利には、このドア装置は、防水状態を提供するために床から突出するフレームを必要としない。したがって、ドア装置は、アクセス可能性の障害物を作り出さない。
【０００７】
特定の実施の形態では、第１の一次案内角度が第２の一次案内角度に等しく、第１くさび角度が第２くさび角度に等しく、第１の二次案内角度が第２の二次案内角度に等しい。
【０００８】
一実施の形態では、第１の二次案内要素および第２の二次案内要素は、実質的に直線状である。
【０００９】
特定の実施の形態では、第１の二次案内要素が第１主閉鎖要素に取り付けられ、第２の二次案内要素が第２主閉鎖要素に取り付けられ、主スパーが休止位置と防水位置との間を移動するときに、二次案内要素が横断要素を案内する。
【００１０】
有利には、この実施の形態は、これらの要素のうちの１つが移動したときに、それに応じて他の要素が移動するように、相互に連結された防水効果を提供するように意図された要素（すなわち、主閉鎖要素および補助閉鎖くさび）を有しており、これらの要素の1つを移動させて残りの要素を移動させるだけで十分である。
【００１１】
特定の実施の形態では、二次案内要素が主支持面に取り付けられ、第１の二次案内角度および第２の二次案内角度が０に等しく、ドア装置は、補助閉鎖くさびが第１主閉鎖要素のくさび形の端部および第２主閉鎖要素のくさび形の端部の両方に当接する位置に横断要素を移動させる第１操作要素を更に備える。
【００１２】
有利なことに、この実施の形態は、防水効果を提供するように意図された要素の手動動作を可能にする。横断要素は、より簡便な装置を提供するために主閉鎖要素から独立して移動されてもよい。
【００１３】
特定の実施の形態では、ドア装置は、主スパーを休止位置と防水位置との間で移動させる第２操作要素を更に備える。
【００１４】
この特定の実施の形態は、ドア装置が、同じ寸法の主領域を有する共通のドアに容易に設置されることを可能にする。
【００１５】
特定の実施の形態では、第１主閉鎖要素および第２主閉鎖要素並びに補助閉鎖くさびの少なくとも一部が、耐水材料で作られている。
【００１６】
特定の実施の形態では、第１主閉鎖要素および第２主閉鎖要素は、各々が長尺アームおよび短尺アームを含む実質的にＬ字形であり、長尺アームは互いに実質的に平行に配置され、短尺アームは互いに向き合って方向付けられている。
【００１７】
特定の実施の形態では、主閉鎖要素は、主スパーが休止位置にあるとき、長尺アームおよび短尺アームが、矩形である主領域の縁部に位置付けられるように、配置されている。
【００１８】
特定の実施の形態では、主閉鎖要素および補助閉鎖くさびは、シール要素を含む。
【００１９】
特定の実施の形態では、ドア装置は、主支持面に実質的に平行な副支持面を更に備え、主スパー、第１連結要素、第２連結要素、第３連結要素、第４連結要素、一次案内要素、第１の二次案内要素および第２の二次案内要素は、主支持面と副支持面との間に配置されている。好ましい実施の形態では、主支持面および副支持面は、主支持面と副支持面との間に配置された少なくとも１つの剛性要素によって互いに取り付けられている。リブのような剛性要素は、ドア装置に増加した剛性を提供し、主支持面および副支持面を互いから離間して保持する。
【００２０】
主支持面および／または副支持面は、それぞれプレートによって具体化することができる。
【００２１】
第２の発明の態様では、本発明は、第１の発明の態様によるドア装置を備えるドアを提供する。
【００２２】
本発明によるドア装置は、ドア装置がドア自体内に組み込まれるように、ドアの製造処理の間にドアの内部構成要素として含まれ得る。この場合、ドアは、主スパーが休止位置から防水位置に移動されたときに、第１主閉鎖要素および第２主閉鎖要素並びに補助閉鎖くさびの通過を可能にする少なくとも１つの周囲開口を有している。
【００２３】
あるいは、本発明のドア装置は、既に製造されたドアに結合されてもよい。一実施の形態では、ドア装置は、主スパー、第１連結要素、第２連結要素、第３連結要素および第４連結要素、一次案内要素、並びに第１の二次案内要素および第２の二次案内要素が、ドアの表面とドア装置の主支持面との間に配置されるように、ドアに結合されてもよい。好ましくは、ドア装置の主支持面は、ドアの当該表面とドア装置の主支持面との間に配置された少なくとも１つのリブによってドアの表面に取り付けられる。別の実施の形態では、主支持面と副支持面とを含むドア装置は、主支持面または副支持面の１つをドアの表面に結合することによってドアに結合される。
【００２４】
第３の発明の態様では、本発明は、第１の発明の態様によるドア装置または第２の発明の態様によるドアを備える防水システムであって、防水性を提供するためのスロット組立体を更に備え、スロット組立体は、ドア装置の第１主閉鎖要素および第２主閉鎖要素並びに補助閉鎖くさびを少なくとも部分的に収容する、防水システムを提供する。この実施の形態では、スロット組立体は、ドア装置の第１主閉鎖要素および第２主閉鎖要素並びに補助閉鎖くさびが防水位置において防水状態を提供する外面を提供する。
【００２５】
特定の実施の形態では、スロット組立体は、３つのスロットを含み、第１スロットは、一方の主閉鎖要素の長尺アームの少なくとも一部を収容し、第２スロットは、他方の主閉鎖要素の長尺アームの少なくとも一部を収容し、第３スロットは、一方の主閉鎖要素の短尺アームの少なくとも一部、他方の主閉鎖要素の短尺アームの少なくとも一部および補助閉鎖くさびの少なくとも一部を収容する。
【００２６】
特定の実施の形態では、スロット組立体は、ドア装置の第１主閉鎖要素および第２主閉鎖要素並びに補助閉鎖くさびを収容し、スロット組立体は、主スパーが防水位置にあるときに、ドア装置の主閉鎖要素および閉鎖くさびに接触するように配置された第３シール要素を含む。
【００２７】
第４の発明の態様では、本発明は、防水ドアを提供する方法であって、第１の発明の態様によるドア装置を提供する工程と、ドア装置をドアに取り付ける工程と、を備える、方法を提供する。
一実施の形態では、方法は、主スパー、第１連結要素、第２連結要素、第３連結要素および第４連結要素、一次案内要素並びに第１の副案内要素および第２の副案内要素が、ドアとの表面とドア装置の主支持面との間に配置されるように、ドア装置をドアに取り付ける。好ましくは、ドア装置の主支持面は、ドアの当該表面とドア装置の主支持面との間に配置された少なくとも１つのリブによってドアの表面に取り付けられる。別の実施の形態では、ドア装置は主支持面と副支持面とを備え、この方法は、主支持面または副支持面の１つがドアの表面に取り付けられるようにドア装置をドアに取り付けることを含む。
【００２８】
特許請求の範囲、発明の詳細な説明および図面を含む本明細書に記載された全ての特徴は、相互に排他的な特徴の組み合わせを除いて、任意の組み合わせで組み合わせることができる。
【００２９】
本発明のこれらの特徴および利点並びに他の特徴および利点は、図面を参照して、単なる一例として示され、非限定的な本発明の好ましい実施の形態から明らかになる本発明の詳細な説明を考慮すると、より明確に理解されるであろう。
【図面の簡単な説明】
【００３０】
【図１】図１は、休止位置にある本発明によるドア装置を示す正面図である。
【図２】図２は、主領域を示す本発明によるドア装置を示す正面図である。
【図３】図３は、休止位置と防水位置との間の中間位置にある、本発明によるドア装置を示す正面図である。
【図４】図４は、防水位置にある本発明によるドア装置を示す正面図である。
【図５】図５ａ〜図５ｂは、本発明の一実施の形態によるドア装置およびスロット組立体の休止位置および防水位置での異なる詳細を示す側面断面図であり、図５ｃは、本発明の一実施の形態によるドア装置およびスロット組立体の休止位置での異なる詳細を示す側面断面図であり、図５ｄ〜図５ｅは、本発明の一実施の形態によるドア装置およびスロット組立体の休止位置での異なる詳細を示す平面断面図である。
【図６】図６ａ〜６ｂは、本発明の一実施の形態によるドア装置の詳細を示す正面図である。
【図７】図７は、休止位置にある本発明の第２の実施の形態によるドア装置を示す正面図である。
【図８】図８は、休止位置と防水位置との間の中間位置にある、本発明の第２の実施の形態によるドア装置を示す正面図である。
【図９】図９は、防水位置にある本発明の第２の実施の形態によるドア装置を示す正面図である。
【発明を実施するための形態】
【００３１】
本発明の目的の概要が説明され、特定の非限定的な実施の形態が以下に説明される。
【００３２】
図１は、休止位置にある本発明によるドア装置（１）を示す正面図である。このドア装置（１）は、
主支持面（２）と、
休止位置と防水位置との間で動作方向（Ｄ）に移動する主スパー（１０）と、
くさび形の端部（３１）を含み、くさび形の端部が当該くさび形の端部（３１）の尖った頂点に配置された第１閉鎖点（３２）を含む、第１主閉鎖要素（３）と、
くさび形の端部（４１）を含み、くさび形の端部が当該くさび形の端部（４１）の尖った頂点に配置された第２閉鎖点（４２）を含む、第２主閉鎖要素（４）であって、当該第１閉鎖点（３２）および当該第２閉鎖点（４２）が、当該第１閉鎖点（３２）と当該第２閉鎖点（４２）との間の距離である閉鎖間隙を画定する、第２主閉鎖要素（４）と、
各々が第１端部（５１）および第２端部（５２）を有する第１連結要素（５）と、
各々が第１端部（６１）および第２端部（６２）を有する第２連結要素（６）と、
各々が第１端部（７１）および第２端部（７２）を有する第３連結要素（７）と、
各々が第１端部（８１）および第２端部（８２）を有する第４連結要素（８）と、
第１群の一次案内要素（９１）および第２群の一次案内要素（９２）と、
補助閉鎖くさび（１１１）を含む横断要素（１１）と、
第１主閉鎖要素（３）に取り付けられた第１の二次案内要素（９３）および第２主閉鎖要素（４）に取り付けられた第２の二次案内要素（９４）と、を備えている。
【００３３】
各第１連結要素（５）は、第１端部（５１）において、主スパー（１０）に枢動可能に取り付けられ、各第２連結要素（６）は、第１端部（６１）において、一方の第１連結要素（５）の第２端部（５２）に枢動可能に取り付けられるとともに、第２端部（６２）において、第１主閉鎖要素（３）に枢動可能に取り付けられている。
【００３４】
各第３連結要素（７）は、第１端部（７１）において、主スパー（１０）に枢動可能に取り付けられ、各第４連結要素（８）が、第１端部（８１）において、一方の第３連結要素（７）の第２端部（７２）に枢動可能に取り付けられるとともに、第２端部（８２）において、第２主閉鎖要素（４）に枢動可能に取り付けられている。
【００３５】
一次案内要素（９１、９２）は、第２連結要素（６）の各々が、第１群の一次案内要素（９１）からの一次案内要素（９１）に接触し、第４連結要素（８）の各々が、第２群の一次案内要素（９２）からの一次案内要素（９２）に接触するように、主支持面（２）に取り付けられている。
【００３６】
第１群の一次案内要素（９１）は、時計回り方向において動作方向（Ｄ）に対する第１の一次案内角度（δ１）を形成するように方向付けられている。
【００３７】
第２群の一次案内要素（９２）は、反時計回り方向において動作方向（Ｄ）に対する第２の一次案内角度（δ２）を形成するように方向付けられている。
【００３８】
これにより、主スパー（１０）、第１連結要素（５）および第２連結要素（６）によって形成されるシステムは、クランクロッドシステム（crank-rod system）のように機能する。主スパーが休止位置から動作位置へ移動したとき、第１主閉鎖要素（５）は、この移動を、一次案内要素（９１）によって規定される方向に従って第２連結要素（６）に取り付けられた第１主閉鎖要素（３）の変位において、動作方向（Ｄ）に従って主スパー（１０）の変位を変換する第２連結要素（６）に伝達する。主スパー（１０）、第３連結要素（７）および第４連結要素（８）によって形成されるシステムは、別のクランクロッドシステムと同様に準用される。
【００３９】
横断要素（１１）の補助閉鎖くさび（１１１）は、動作方向（Ｄ）に対してそれぞれ第１くさび角度（β１）および第２くさび角度（β２）を形成する２つの側部と、接地する側部（１１２）を意味する第３の側部とを含んでいる。図６ｂは、補助閉鎖くさび（１１１）を詳細に示す図である。
【００４０】
二次案内要素（９３、９４）は、横断要素（１１）を案内する。第１の二次案内要素（９３）は、反時計回り方向において動作方向（Ｄ）に対する第１の二次案内角度（α１）を形成し、第２の二次案内要素（９４）は、時計回り方向において動作方向（Ｄ）に対する第２の二次案内角度（α２）を形成する。
【００４１】
図２は、ドア装置（１）の主支持面（２）が占める領域に対応する主領域（２ａ）を示している。
【００４２】
図３および図４は、主スパー（１０）が休止位置から防水位置に移動されているときの図１のドア装置（１）を示している。図３は中間位置を示し、図４は主スパー（１０）が防水位置にあるときのドア装置（１）を示している。
【００４３】
主スパー（１０）の休止位置では、第１主閉鎖要素（３）および第２主閉鎖要素（４）は、主領域（２ａ）内に配置されている。休止位置と防水位置との間の主スパー（１０）の移動に沿って、各第２連結要素（６）の移動は、第１群の対応する一次案内要素（９１）によって、第１主閉鎖要素（３）が、主領域（２ａ）に完全には含まれないという意味で、第１主閉鎖要素（３）の少なくとも一部を主領域（２ａ）から退出させる当該一次案内要素（９１）の方向へ、制限される。同様に、各第４連結要素（８）の移動は、第２群の対応する一次案内要素（９２）によって、第２主閉鎖要素（４）の少なくとも一部を主領域（２ａ）から退出させる当該一次案内要素（９２）の方向へ、制限される。主領域（２ａ）からの第１主閉鎖要素（３）および第２主閉鎖要素（４）の移動は、それらを外面に当接させることを可能にし、それによって防水状態を提供する。
【００４４】
また、主スパー（１０）の当該移動に沿って、二次案内要素（９３、９４）は、補助閉鎖くさび（１１１）の少なくとも一部を、主領域から出て、第１主閉鎖要素（３）のくさび形の端部（３１）および第２主閉鎖要素（４）のくさび形の端部（４１）の両方に当接するように、案内する。第１主閉鎖要素（３）のくさび形の端部（３１）は、第１くさび角度（β１）に等しい、反時計回り方向において動作方向（Ｄ）に対する第１閉鎖角度度を形成する。第２主閉鎖要素（４）のくさび形の端部（４１）は、第２くさび角度（β２）に等しい、時計回り方向において動作方向（Ｄ）に対する第２閉鎖角度度を形成する。
図６ｂは、図１乃至図４の実施の形態によるドア装置を詳細に示す図であり、補助閉鎖くさび（１１１）並びに第１主閉鎖要素（３）のくさび形の端部（３１）および第２主閉鎖要素（４）のくさび形の端部（４１）が示されている。
【００４５】
主閉鎖要素（３、４）が防水位置に向かって移動するとき、主閉鎖要素（３、４）が異なる方向に移動するので、閉鎖間隙が増大する。一方の主閉鎖要素（３）が第１群の一次案内要素（９１）の方向に移動し、他方の主閉鎖要素（４）が第２軍の一次案内要素（９２）の方向に移動する。
【００４６】
二次案内要素（９３、９４）は、横断要素（１１）を案内する。この案内は、一次案内要素（９１、９２）によって提供される案内とは異なっている。この特定の実施の形態の場合、１つの二次案内要素（９３、９４）が各主閉鎖要素（３、４）に取り付けられている。主閉鎖要素（３、４）が移動すると、二次案内要素（９３、９４）が主閉鎖要素（３、４）と共に移動し、閉鎖間隙が増加する。横断要素（１１）は一定の長さを有するため、横断要素（１１）の一部が第１主閉鎖要素（３）および第２主閉鎖要素（４）間の間隙に配置されるまで、横断要素（１１）が二次案内要素（９３、９４）に沿って摺動する。
【００４７】
第１主閉鎖要素（３）および第２主閉鎖要素（４）と、補助閉鎖くさび（１１１）との間に間隙のない配置を達成するために、主スパー（１０）が防水位置にあるとき、閉鎖間隙は、補助閉鎖くさび（１１１）の接地する側部（１１２）の長さと等しくなる。また、横断要素（１１）の変位を可能にするために、第１の二次案内角度（α１）は、第１くさび角度（β１）以下であり、第２の二次案内角度（α２）は、第２くさび角度（β２）以下である。
【００４８】
第１主閉鎖要素（３）および第２主閉鎖要素（４）の両方は、実質的にＬ字形であり、本実施の形態では、各々が、長尺アーム（３３、４３）および短尺アーム（３４、４４）を含んでいる。長尺アーム（３３、４３）は互いに実質的に平行に配置され、短尺アーム（３４、４４）は互いに向き合って方向付けられている。
【００４９】
この実施の形態では、第１主閉鎖要素（３）および第２主閉鎖要素（４）は、主スパー（１０）が休止位置にあるとき、長尺アーム（３３、４３）および短尺アーム（３４、４４）が、この実施例では矩形である主領域の縁部に配置されるように、配置されている。
【００５０】
図５ａは、主スパー（この図では図示せず）が休止位置にあるときの本発明によるスロット組立体の側面図であって、ドア上に配置された本発明によるドア装置の側面図を詳細に示す図である。ドア装置のこの実施の形態では、図１乃至図４の実施の形態のように、第１主閉鎖要素（３）および第２主閉鎖要素（４）は、実質的にＬ字形であり、各々が長尺アーム（３３、４３）および短尺アーム（３４、４４）を含んでいる。スロット組立体は、主スパーが休止位置にあるとき、第１主閉鎖要素（３）の長尺アーム（３３）の少なくとも一部を収容する第１スロット（１２１）と、第２主閉鎖要素（４）の長尺アーム（４３）の少なくとも一部を収容する第２スロット（１２２）と、第１主閉鎖要素（３）の短尺アーム（３４）の少なくとも一部、第２主閉鎖要素（４）の短尺アーム（４４）の少なくとも一部および補助閉鎖くさび（１１１）の少なくとも一部を収容する第３スロット（１２３）と、を含んでいる。
【００５１】
この実施の形態では、ドア装置は、主支持面（２）に平行に配置された副支持面（２１）を更に備えている。第１主閉鎖要素（３）は、主支持面（２）と副支持面（２１）との間に配置されていることが分かる。主支持面（２）は、ドアの表面に取り付けられている。
【００５２】
図５ａでは、第１主閉鎖要素（３）の短尺アームと、スロット組立体の第３スロット（１２３）とが示されている。第１主閉鎖要素（３）が第１シール要素（１０１）をどのように備えるかが観察され得る。主支持面（２）および副支持面（２１）は、第２シール要素（１０２）を更に備えている。主スパー（この図では図示せず）が防水位置にあるとき、第１シール要素（１０１）および第２シール要素（１０２）は互いに協働するように構成されており、第１主閉鎖要素（３）と主支持面（２）および副支持面（２１）との間にシール係合を提供する。
【００５３】
また、スロット組立体の第３スロット（１２３）は、第１主閉鎖要素（３）と相互作用する第３シール要素（１０３）を備え、主スパー（この図では図示せず）が防水位置にあるとき、防水シールを提供する。
【００５４】
一実施の形態では、主スパー（１０）が防水位置にあるときに、第１シール要素（１０１）が、主支持面（２）および／または副支持面（２１）に接触するように意図された主閉鎖要素（３、４）および補助閉鎖くさび（１１１）の領域に沿って配置されている。また、第２シール要素（１０２）は、第１シール要素（１０１）が接触するように意図された主支持面（２）および／または副支持面（２１）の領域に沿って配置されている。
【００５５】
図５ｂは、図５ａの要素を示すが、主スパー（１０）が防水位置にあるときを示している。この図のように、第１主閉鎖要素（３）は、第３スロットの内側にあり、この第３スロットは見えていない。図５ｂでは、第１シール要素（１０１）が第２シール要素（１０２）に当接する。第１シール要素（１０１）および第２シール要素（１０２）の両方が、この図では黒で示されている。
【００５６】
上述した実施の形態では、主スパー（１０）、主閉鎖要素（３、４）、第１連結要素（５）、第２連結要素（６）、第３連結要素（７）、第４連結要素（８）、横断要素（１１）および二次案内要素（９３、９４）は、機械的に相互に関連しており、主スパー（１０）、主閉鎖要素（３、４）、第１連結要素（５）、第２連結要素（６）、第３連結要素（７）、第４連結要素（８）、横断要素（１１）および二次案内要素（９３、９４）のうちの１つの移動は、残りの要素の移動を引き起こす。主スパー（１０）の移動は、休止位置から防水位置へのドア装置（１）の移動を開始する最も一般的な方法であるが、主閉鎖要素（３、４）、連結要素（５、６、７、８）または横断要素（１１）のいずれかを作動させることによって移動を開始することが可能である。また、これらの全ての要素の移動は可逆的であり、すなわち、主スパー（１０）が防水位置から休止位置に戻るとき、残りの要素もその休止位置に戻る。
【００５７】
図５ｃは、図５ａと同様の図を示している。この場合、第２主閉鎖要素（４）および補助閉鎖くさび（１１１）が示されており、これらは、第１シール要素（１０１）を含む同様の構成を示している。また、主支持面（２）および副支持面（２１）の第２シール手段（１０２）は、第２主閉鎖要素（４）および補助閉鎖くさび（１１１）の第１シール要素（１０１）と協働する。さらに、各々の主閉鎖要素（３、４）の短尺アームおよび補助閉鎖くさび（１１１）を受け入れるために適した第３スロット（１２３）は、各々の主閉鎖要素（３、４）の短尺アームおよび補助閉鎖くさび（１１１）と相互に作用する第３シール要素（１０３）を含んでいる。
【００５８】
上述したように、これらの図５ａ〜５ｃには、主支持面（２）と同じように、第２シール要素（１０２）を含む副支持面（２１）が示されている。他の実施の形態では、ドア装置は、主支持面のみを含み、ドア装置（１）が取り付けられるドア自体が、二次支持面として使用される。図５ａ〜図５ｃに示す実施の形態では、装飾目的のためにドア装置の可視側を覆う補助カバー（２０）が存在している。
【００５９】
図５ｄおよび５ｅは、主閉鎖要素（３、４）を少なくとも部分的に収容するスロット組立体の第１スロット（１２１）および第２スロット（１２２）と共に、休止位置にある、本発明の一実施の形態の主閉鎖要素（３、４）の長尺アームを示す側面図である。
【００６０】
図５ｄは、第１シール要素（１０１）を含む第１主閉鎖要素（３）の長尺アームを示している。主支持面（２）は、第２シール要素（１０２）を更に備えている。主スパー（このずでは図示せず）が防水位置にあるとき、第１シール要素（１０１）および第２シール要素（１０２）が互いに協働して、第１主閉鎖要素（３）と主支持面との間にシール係合を提供する。
【００６１】
また、スロット組立体の第１スロット（１２１）は、第１主閉鎖要素（３）と相互作用する第３シール要素（１０３）を含み、主スパー（この図では図示せず）が防水位置にあるとき、防水シールを提供する。
【００６２】
図５ｅは、第１シール要素（１０１）を含む第２主閉鎖要素（４）の長尺アームを示している。主支持面は、第２シール要素（１０２）を更に備えている。主スパー（この図では図示せず）が防水位置にあるとき、第１シール要素（１０１）および第２シール要素（１０２）は互いに協働して、第１主閉鎖要素（３）と主支持面との間にシール係合を提供する。
【００６３】
また、スロット組立体の第２スロット（１２２）は、第２主閉鎖要素（４）と相互作用する第３シール要素（１０３）を含み、主スパー（この図では図示せず）が防水位置にあるとき、防水シールを提供する。
【００６４】
図６ａは、本発明の一実施の形態によるドア装置（１）の異なる詳細を示している。この図では、第１主閉鎖要素（３）および第２主閉鎖要素（４）のくさび形の端部（３１、４１）および補助閉鎖くさび（１１１）に含まれる第４シール手段（１０４）が示されている。これらの第４シール手段（１０４）は、主スパー（１０）が防水位置にあるとき、くさび形の端部（３１、４１）および補助閉鎖くさび（１１１）の間で協働するようになっている。
【００６５】
一実施の形態では、全てのシール要素（１０１、１０２、１０３、１０４）は、互いに押し付けられて変形され、当該防水シールを提供することができるように、ゴムのような弾性材料で作られている。
【００６６】
図７は、本発明によるドア装置（１）の別の実施の形態を示している。この実施の形態では、二次案内要素（９３、９４）は、主支持面（２）に取り付けられており、第１の二次案内角度（α１）および第２の二次案内角度（α２）は、０°となっている。この場合、主閉鎖要素（３、４）の移動は、横断要素（１１）の移動を引き起こさないが、一旦、主スパー（１０）がその防水位置をとると、横断要素（１１）は移動する。
【００６７】
この実施の形態では、当該移動が関連しないため、ドア装置（１）は、横断要素（１１）を、補助閉鎖くさび（１１１）が、第１主閉鎖要素（３）のくさび形の端部および第２主閉鎖要素（４）のくさび形の端部の両方に当接する位置に移動させる第１操作要素（図示せず）を備えている。
【００６８】
図８は、休止位置と防水位置との間の中間位置にあるドア装置（１）の実施の形態を示している。図８に示す中間位置において、第１主閉鎖要素（３）および第２主閉鎖要素（４）は、最終的な防水位置に配置されているが、横断要素（１１）は依然としてその休止位置にある。図９は、防水位置にあるドア装置（１）の実施の形態を示しており、補助閉鎖くさび（１１１）が、防水位置にある第１主閉鎖要素（３）のくさび形の端部と、防水位置にある第２主閉鎖要素（４）のくさび形の端部との間に配置されるとともに、横断要素（１１）が防水位置にある。
【図１】
2019508613.tif 000003
【図２】
2019508613.tif 000004
【図３】
2019508613.tif 000005
【図４】
2019508613.tif 000006
【図５ａ】
2019508613.tif 000007
【図５ｂ】
2019508613.tif 000008
【図５ｃ】
2019508613.tif 000009
【図５ｄ】
2019508613.tif 000010
【図５ｅ】
2019508613.tif 000011
【図６ａ】
2019508613.tif 000012
【図６ｂ】
2019508613.tif 000013
【図７】
2019508613.tif 000014
【図８】
2019508613.tif 000015
【図９】
2019508613.tif 000016
【国際調査報告】
2019508613.tif 000017
2019508613.tif 000018
2019508613.tif 000019